(57)【要約】【課題】出入国時の外国人データを容易に個人単位で統合すること。【解決手段】出入国時の外国人データを含む名寄せ候補レコード及び名寄せデータレコード並びに比較した複数外国人データ項目の一致度に応じたポイント値を付与するスコアリング条件を格納する名寄せ基準テーブル１１４を設け、複数の外国人データを比較した際の一致度によるポイント値が名寄せ基準テーブル１１４の規定値以上と判定したときに外国人情報テーブル１１３及び外国人個人情報テーブル１１５に格納した外国人データ及びポイント値を更新することによって、例えば、誤記が想定される姓名の順序を変更したときに氏名が一致したときや、旅券番号他の項目が一致し且つ姓のみが不一致のとき、両外国人データを同一人物として特定する外国人出入国情報管理システム１２２。【選択図】図１
2013092965.tif 000002
【特許請求の範囲】
【請求項１】
外国人を個人単位で管理するための個人管理番号とマスタ番号と旅券番号と国籍と生年月日と性別と氏名の各項目から成る複数の外国人データを含む外国人出入国時の申請を審査するための審査コンピュータとネットワークを介して接続され、前記外国人データを統括する外国人出入国情報管理システムであって、
前記外国人データに含まれる個人管理番号とマスタ番号と旅券番号と国籍と生年月日と性別と氏名の各項目から成る名寄せ前後の外国人データレコードを格納する外国人情報テーブルと、前記出入国時の外国人データを含む名寄せ候補レコード及び名寄せデータレコード並びに比較した複数外国人データ項目の一致度に応じたポイント値を付与するスコアリング条件とを格納する名寄せ基準テーブルと、前記外国人情報テーブル及び名寄せ基準テーブルから抽出した前記個人管理番号及びマスタ番号とから成る名寄せ前後候補レコードと名寄せ後候補レコードと名寄せ前データレコードと名寄せ後データレコードとを格納する外国人個人情報テーブルと、前記外国人情報テーブルと名寄せ基準テーブルと外国人個人情報テーブルとを参照して前記外国人データの統括を制御する審査機能部とを備え、
該審査機能部が、
前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した名寄せ前データレコードと名寄せ候補レコードに含まれる外国人データの全項目が一致するか否かを比較する名寄せ全部一致条件比較機能と、前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した特定名寄せ前データレコードと名寄せ候補レコードに含まれる外国人データの一部項目が一致するか否かを比較する名寄せ部分一致比較機能と、前記名寄せ全部一致条件比較機能及び名寄せ部分一致比較機能による比較結果を用いて複数外国人データの名寄せを行う名寄せ機能と、前記名寄せ部分一致比較機能による比較項目の一致度によるポイント値が前記名寄せ基準テーブルのスコアリング条件を参照したポイント値が規定値以上と判定したときに外国人情報テーブル及び外国人個人情報テーブルに格納した外国人データ及びポイント値を更新する名寄せ自動更新機能と、前記名寄せ自動更新部によって更新した外国人データ及びポイント値を名寄せ基準テーブルに更新して反映させる名寄せ基準テーブル反映機能とを実行することを特徴とする外国人出入国情報管理システム。
【請求項２】
前記名寄せ基準テーブルに格納したスコアリング条件が、外国人データの全項目が一致したときのみにポイント１００、旅券番号と国籍と生年月日と性別が一致し、姓名の順序を変更したときに氏名が一致したときのみにポイント９０に設定され、前記名寄せ自動更新機能が、前記名寄せ部分一致比較機能による比較項目の一致度によるポイント値がポイント９０以上と判定したときに外国人情報テーブル及び外国人個人情報テーブルに格納した外国人データ及びポイント値を更新することを特徴とする請求項１記載の外国人出入国情報管理システム。
【請求項３】
外国人を個人単位で管理するための個人管理番号とマスタ番号と旅券番号と国籍と生年月日と性別と氏名の各項目から成る複数の外国人データを含む外国人出入国時の申請を審査するための審査コンピュータとネットワークを介して接続され、前記外国人データに含まれる個人管理番号とマスタ番号と旅券番号と国籍と生年月日と性別と氏名の各項目から成る名寄せ前後の外国人データレコードを格納する外国人情報テーブルと、前記出入国時の外国人データを含む名寄せ候補レコード及び名寄せデータレコード並びに比較した複数外国人データ項目の一致度に応じたポイント値を付与するスコアリング条件とを格納する名寄せ基準テーブルと、前記外国人情報テーブル及び名寄せ基準テーブルから抽出した前記個人管理番号及びマスタ番号とから成る名寄せ前後候補レコードと名寄せ後候補レコードと名寄せ前データレコードと名寄せ後データレコードとを格納する外国人個人情報テーブルと、前記外国人情報テーブルと名寄せ基準テーブルと外国人個人情報テーブルとを参照して前記外国人データの統括を制御する審査機能部とを備えたコンピュータシステムによって前記外国人データを統括する外国人出入国情報管理プログラムであって、
該審査機能部に、
前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した名寄せ前データレコードと名寄せ候補レコードに含まれる外国人データの全項目が一致するか否かを比較する名寄せ全部一致条件比較機能と、前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した特定名寄せ前データレコードと名寄せ候補レコードに含まれる外国人データの一部項目が一致するか否かを比較する名寄せ部分一致比較機能と、前記名寄せ全部一致条件比較機能及び名寄せ部分一致比較機能による比較結果を用いて複数外国人データの名寄せを行う名寄せ機能と、前記名寄せ部分一致比較機能による比較項目の一致度によるポイント値が前記名寄せ基準テーブルのスコアリング条件を参照したポイント値が規定値以上と判定したときに外国人情報テーブル及び外国人個人情報テーブルに格納した外国人データ及びポイント値を更新する名寄せ自動更新機能と、前記名寄せ自動更新部によって更新した外国人データ及びポイント値を名寄せ基準テーブルに更新して反映させる名寄せ基準テーブル反映機能とを実現させることを特徴とする外国人出入国情報管理プログラム。
【請求項４】
前記名寄せ基準テーブルに格納したスコアリング条件が、外国人データの全項目が一致したときのみにポイント１００、旅券番号と国籍と生年月日と性別が一致し、姓名の順序を変更したときに氏名が一致したときのみにポイント９０に設定され、前記名寄せ自動更新機能に、前記名寄せ部分一致比較機能による比較項目の一致度によるポイント値がポイント９０以上と判定したときに外国人情報テーブル及び外国人個人情報テーブルに格納した外国人データ及びポイント値を更新させることを特徴とする請求項３記載の外国人出入国情報管理プログラム。
【発明の詳細な説明】
【技術分野】
【０００１】
本発明は、外国人の日本への出入国管理を個人単位で行うことができる外国人出入国情報管理システム及び外国人出入国情報管理プログラムに係り、特に管理が異なる入出国データを集約して個人単位で統合することができる外国人出入国情報管理システム及び外国人出入国情報管理プログラムに関する
【背景技術】
【０００２】
従来技術による外国人の出入国の管理は、外国人の入国時の管理と出国時の管理が別の管理コンピュータシステムによって収集及び管理されており、同一人性の確認の際には、入国時の入国データと出国時の出国データとを比較して行われており、この外国人の同一人性の確認に関する技術が下記の特許文献１に記載されている。この特許文献１には、旅券・査証・在留資格認定証明書及び外国人登録証明書に記載された情報を読取る読取り部と、査証・在留資格認定証明書・外国人登録証明書の発給情報を記録する記憶装置と、入国時に使用した旅券に記載されている情報を記録する記憶装置と、書類の読取った情報と記憶装置に記録されている対応する情報が同一であるか判定する判定装置と、読取った情報や記憶装置に記録されている情報を表示する表示部と、制御装置とを設けることによって、旅券・査証・認定証・外登証に記載されている情報を容易に確認できる外国人の出入国の状況を管理する技術が記載されている。
【先行技術文献】
【特許文献】
【０００３】
【特許文献１】特開２００４−６２２５５号公報
【発明の概要】
【発明が解決しようとする課題】
【０００４】
前述の特許文献１記載技術は、旅券等に記載されている情報を容易に確認することができるものの、同一人物における各種情報を別々の管理コンピュータシステムに格納していため、同一人物の入国と出国を把握するためには別々の管理コンピュータシステムの出入国情報を人手によって統合しなければならす、この統合には多大な時間を要するという課題があった。
【０００５】
本発明の目的は、前述の従来技術による課題を解決しようとするものであり、入国管理データと出国管理データとを容易に個人単位で統合することができる外国人出入国情報管理システム及び外国人出入国情報管理プログラムを提供することである。
【課題を解決するための手段】
【０００６】
前記目的を達成するため本発明は、外国人を個人単位で管理するための個人管理番号とマスタ番号と旅券番号と国籍と生年月日と性別と氏名の各項目から成る複数の外国人データを含む外国人出入国時の申請を審査するための審査コンピュータとネットワークを介して接続され、前記外国人データを統括する外国人出入国情報管理システムであって、
前記外国人データに含まれる個人管理番号とマスタ番号と旅券番号と国籍と生年月日と性別と氏名の各項目から成る名寄せ前後の外国人データレコードを格納する外国人情報テーブルと、前記出入国時の外国人データを含む名寄せ候補レコード及び名寄せデータレコード並びに比較した複数外国人データ項目の一致度に応じたポイント値を付与するスコアリング条件とを格納する名寄せ基準テーブルと、前記外国人情報テーブル及び名寄せ基準テーブルから抽出した前記個人管理番号及びマスタ番号とから成る名寄せ前後候補レコードと名寄せ後候補レコードと名寄せ前データレコードと名寄せ後データレコードとを格納する外国人個人情報テーブルと、前記外国人情報テーブルと名寄せ基準テーブルと外国人個人情報テーブルとを参照して前記外国人データの統括を制御する審査機能部とを備え、
該審査機能部が、
前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した名寄せ前データレコードと名寄せ候補レコードに含まれる外国人データの全項目が一致するか否かを比較する名寄せ全部一致条件比較機能と、前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した特定名寄せ前データレコードと名寄せ候補レコードに含まれる外国人データの一部項目が一致するか否かを比較する名寄せ部分一致比較機能と、前記名寄せ全部一致条件比較機能及び名寄せ部分一致比較機能による比較結果を用いて複数外国人データの名寄せを行う名寄せ機能と、前記名寄せ部分一致比較機能による比較項目の一致度によるポイント値が前記名寄せ基準テーブルのスコアリング条件を参照したポイント値が規定値以上と判定したときに外国人情報テーブル及び外国人個人情報テーブルに格納した外国人データ及びポイント値を更新する名寄せ自動更新機能と、前記名寄せ自動更新部によって更新した外国人データ及びポイント値を名寄せ基準テーブルに更新して反映させる名寄せ基準テーブル反映機能とを実行することを第１の特徴とする。
【０００７】
また、本発明は、前記特徴の外国人出入国情報管理システムにおいて、前記名寄せ基準テーブルに格納したスコアリング条件が、外国人データの全項目が一致したときのみにポイント１００、旅券番号と国籍と生年月日と性別が一致し、姓名の順序を変更したときに氏名が一致したときのみにポイント９０に設定され、前記名寄せ自動更新機能が、前記名寄せ部分一致比較機能による比較項目の一致度によるポイント値がポイント９０以上と判定したときに外国人情報テーブル及び外国人個人情報テーブルに格納した外国人データ及びポイント値を更新することを第２の特徴とする。
【０００８】
更に本発明は、外国人を個人単位で管理するための個人管理番号とマスタ番号と旅券番号と国籍と生年月日と性別と氏名の各項目から成る複数の外国人データを含む外国人出入国時の申請を審査するための審査コンピュータとネットワークを介して接続され、前記外国人データに含まれる個人管理番号とマスタ番号と旅券番号と国籍と生年月日と性別と氏名の各項目から成る名寄せ前後の外国人データレコードを格納する外国人情報テーブルと、前記出入国時の外国人データを含む名寄せ候補レコード及び名寄せデータレコード並びに比較した複数外国人データ項目の一致度に応じたポイント値を付与するスコアリング条件とを格納する名寄せ基準テーブルと、前記外国人情報テーブル及び名寄せ基準テーブルから抽出した前記個人管理番号及びマスタ番号とから成る名寄せ前後候補レコードと名寄せ後候補レコードと名寄せ前データレコードと名寄せ後データレコードとを格納する外国人個人情報テーブルと、前記外国人情報テーブルと名寄せ基準テーブルと外国人個人情報テーブルとを参照して前記外国人データの統括を制御する審査機能部とを備えたコンピュータシステムによって前記外国人データを統括する外国人出入国情報管理プログラムであって、
該審査機能部に、
前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した名寄せ前データレコードと名寄せ候補レコードに含まれる外国人データの全項目が一致するか否かを比較する名寄せ全部一致条件比較機能と、前記外国人情報テーブルから特定の名寄せ前データレコードを抽出し、前記名寄せ基準テーブルから前記特定名寄せ前データレコードに含まれる旅券番号と国籍が一致する名寄せ候補レコードを抽出し、該抽出した特定名寄せ前データレコードと名寄せ候補レコードに含まれる外国人データの一部項目が一致するか否かを比較する名寄せ部分一致比較機能と、前記名寄せ全部一致条件比較機能及び名寄せ部分一致比較機能による比較結果を用いて複数外国人データの名寄せを行う名寄せ機能と、前記名寄せ部分一致比較機能による比較項目の一致度によるポイント値が前記名寄せ基準テーブルのスコアリング条件を参照したポイント値が規定値以上と判定したときに外国人情報テーブル及び外国人個人情報テーブルに格納した外国人データ及びポイント値を更新する名寄せ自動更新機能と、前記名寄せ自動更新部によって更新した外国人データ及びポイント値を名寄せ基準テーブルに更新して反映させる名寄せ基準テーブル反映機能とを実現させることを第３の特徴とする。
【０００９】
また、本発明は、前記特徴の外国人出入国情報管理プログラムにおいて、前記名寄せ基準テーブルに格納したスコアリング条件が、外国人データの全項目が一致したときのみにポイント１００、旅券番号と国籍と生年月日と性別が一致し、姓名の順序を変更したときに氏名が一致したときのみにポイント９０に設定され、前記名寄せ自動更新機能に、前記名寄せ部分一致比較機能による比較項目の一致度によるポイント値がポイント９０以上と判定したときに外国人情報テーブル及び外国人個人情報テーブルに格納した外国人データ及びポイント値を更新させることを第４の特徴とする。
【発明の効果】
【００１０】
本発明による外国人出入国情報管理システム及び外国人出入国情報管理プログラムは、出入国時の外国人データを含む名寄せ候補レコード及び名寄せデータレコード並びに比較した複数外国人データ項目の一致度に応じたポイント値を付与するスコアリング条件とを格納する名寄せ基準テーブルを設け、審査機能部に、複数の外国人データを比較した際の一致度合いによるポイント値が名寄せ基準テーブルのスコアリング条件を参照したポイント値が規定値以上と判定したときに外国人情報テーブル及び外国人個人情報テーブルに格納した外国人データ及びポイント値を更新することによって、例えば、誤記が想定される旅券番号と国籍と生年月日と性別が一致し、姓名の順序を変更したときに氏名が一致したときや、旅券番号と国籍と生年月日と性別と名が一致し、姓が不一致のとき、両外国人データを同一人物として特定し、入国管理データと出国管理データとを容易に個人単位で統合することができる
【図面の簡単な説明】
【００１１】
【図１】本発明の実施形態による外国人出入国情報管理システムの全体構成図。
【図２】本発明の実施形態による名寄せ全部一致及び部分一致条件比較処理フローを示す図。
【図３】本発明の実施形態によるスコアリング判定から名寄せ基準テーブル反映までの処理フローを示す図。
【図４】本発明の実施形態による外国人テーブル情報を説明するための図。
【図５】本発明の実施形態による名寄せ基準テーブル説明するための図。
【図６】本発明の実施形態による外国人個人情報テーブルを説明するための図。
【図７】本発明の実施形態による候補者リスト説明するための図。
【発明を実施するための形態】
【００１２】
以下、本発明による外国人出入国情報管理プログラムを実行する外国人出入国情報管理システムの一実施形態を図面を参照して詳細に説明する。
［構成］
本実施形態による外国人出入国情報管理システム１２２は、図１に示す如く、申請人１２０からの申請書に基づいた外国人の出入国時の申請情報１０１（外国人データ）を審査する審査官が地方入国管理局・支局・出張所１２１に設置された審査コンピュータ１０２とネットワーク１０５を介して接続されたコンピュータシステムであって、外国人を個人単位で管理するための個人管理番号とマスタ番号と旅券番号と国籍と生年月日と性別と氏名等の各項目から成る外国人データを格納した外国人情報テーブル１１３と、入国時の入国データと出国時の出国データ等に含まれた外国人を個人単位で名寄せするための前記外国人データに対応したポイント値を格納する名寄せ基準テーブル１１４と、外国人を個人単位で名寄せするための個人管理番号とマスタ番号とを格納する外国人個人情報テーブル１１５と、外国人を個人単位で名寄せ処理する際の比較項目（外国人データの個人管理番号とマスタ番号と旅券番号と国籍と生年月日と性別と氏名）全部が一致するか否かを比較する機能を有する名寄せ全部一致条件比較部１０８と、外国人を個人単位で名寄せ処理する際の比較項目（外国人データの個人管理番号とマスタ番号と旅券番号と国籍と生年月日と性別と氏名）の一部が一致するか否かを比較する機能を有する名寄せ部分一致比較部１０９と、前記名寄せ全部一致条件比較部１０８及び名寄せ部分一致比較部１０９の比較結果を用いて外国人を個人単位で名寄せを行う機能を有する名寄せ機能部１２４と、前記名寄せ部分一致比較部１０９を用いた比較項目の一致度（一致した項目内容及び項目数の度合い）によるスコアリング（点数付け）を行うスコアリング判定部１１０と、該スコアリング判定部１１０によるスコアリングしたポイント値が規定値以上と判定したときに外国人情報テーブル１１３及び外国人個人情報テーブル１１５に格納した外国人データを更新する名寄せ自動更新部１１１と、該名寄せ自動更新部１１１によって更新した外国人データのポイント値を名寄せ基準テーブル１１４に更新して反映させる名寄せ基準テーブル反映部１１２と、前記名寄せ全部一致条件比較部１０８と名寄せ部分一致比較部１０９と名寄せ機能部１２４とスコアリング判定部１１０と名寄せ自動更新部１１１と名寄せ基準テーブル反映部１１２とを制御する審査機能部１２３とを備え、外国人の出入国の情報を統括する。
【００１３】
前記外国人情報テーブル１１３は、図４（ｂ）に示す如く、同一の外国人を個人単位で特定するために個人別に一意に付与した個人管理番号とレコード通し番号であるマスタ番号と外国人の旅券番号と同外国人の国籍と同外国人の生年月日と同外国人の性別と同外国人の氏名等の各項目の情報とから成る外国人データを格納し、具体的には、図４（ａ）に示す如く、名寄せ前のデータレコード７０１が、個人管理番号「Ｆ２０１００００００００１」の外国人のマスタ番号が「２０１００００００００００１」、旅券番号が「２００９０００００００１」、国籍が「イタリア」、生年月日が「１９７１０１２３」、性別が「男」、氏名が「ＡＩＵ，ＥＯ，ＫＡ」であり、名寄せ後のデータレコード７０２が、同項目情報であり、個人番号毎の名寄せ前後の外国人データのデータレコードを格納している。
【００１４】
前記名寄せ基準テーブル１１４は、図５（ｂ）に示す如く、外国人を個人単位で名寄せするための外国人データとして、前記外国人情報テーブル１１３に格納された個人管理番号とマスタ番号と旅券番号と国籍と生年月日と性別と氏名の各項目に本実施形態の特徴である名寄せを行うときの基準となるポイント値との各情報と、外国人データに含まれる項目内容の一致内容及び項目数に応じて設定したポイント値であるスコアリング条件とを格納している。この名寄せ基準テーブル１１４は、具体的には、図５（ａ）に示す如く、名寄せ前のデータレコード７０１が、個人管理番号「Ｆ２０１００００００００１」の外国人のマスタ番号が「２０１００００００００００１」、旅券番号が「２００９０００００００１」、国籍が「イタリア」、生年月日が「１９７１０１２３」、性別が「男」、氏名が「ＡＩＵ，ＥＯ，ＫＡ」、ポイント値が「±０」であり、名寄せデータレコード８０２が、個人管理番号「Ｆ２０１００００００００１」の外国人のマスタ番号が「２０１００００００００００１」、旅券番号が「２００９０００００００１」、国籍が「イタリア」、生年月日が「１９７１０１２３」、性別が「男」、氏名が「ＡＩＵ，ＥＯ，ＫＡ」、ポイント値が「＋１００」であり、個人番号毎のポイント値の付与前後のデータレコードを格納し、スコアリング条件として、外国人データ項目の内、（１）旅券番号・国籍・生年月日・性別・氏名の全項目が一致したとき「＋１００」、（２）旅券番号・国籍・生年月日・性別が一致し、姓名の順序を変更したときに氏名が一致したとき「＋９０」、（３）旅券番号・国籍・生年月日・性別・名が一致し、姓が不一致のとき「＋８０」、（４）旅券番号・国籍・生年月日・性別が一致し、氏名が一致しないとき「＋７０」、（５）旅券番号・国籍・生年月日・氏名が一致し、性別が一致しないとき「＋６０」、（６）旅券番号・国籍・氏名が一致し、生年月日が一致しないとき「＋５０」、（７）名寄せ基準情報が全て一致しないとき「±０」とスコアリングする条件を格納している。
【００１５】
前記外国人個人情報テーブル１１５は、図６（ｂ）に示す如く、前記外国人情報テーブル１１３及び名寄せ基準テーブル１１４から抽出した同一の外国人を個人単位で特定するために個人別に一意に付与した個人管理番号とレコード通し番号であるマスタ番号とから成り、具体的には、図６（ａ）に示す如く、名寄せ前候補レコード９０１が、個人管理番号「Ｆ２０１００００００００１」、マスタ番号「２００９０００００００１」であり、名寄せ後候補レコード９０２が、個人管理番号「Ｆ２０１００００００００１」、マスタ番号「２０１００００００００１」であり、名寄せ前データレコード９０３が、個人管理番号「Ｆ２０１００００００００１」、マスタ番号「２０１００００００００１」の如く格納している。
【００１６】
［動作］
さて、本実施形態による外国人出入国情報管理システム１２２は、図２に示す如く、外国人の入国時の入国データと出国時の出国データを参照して外国人の出入国の情報を統括するとき、外国人情報テーブル１１３から今回の名寄せ対象者の外国人情報の旅券番号及び国籍等をキーとして名寄せ前のデータレコード７０１を抽出するステップ２０１と、名寄せ基準テーブル１１４から前記ステップ２０１により指定した旅券番号等をキーとして名寄せ候補レコード８０１を抽出するステップ２０２と、前記ステップ２０１により前記抽出した名寄せ前のデータレコード７０１と前記ステップ２０２により格納した名寄せ候補レコード８０１の全ての外国人データ項目が一致するか否かを判定するステップ２０３と、該ステップ２０３において外国人データ項目の全てが一致すると判定したとき、前記検索キーとした旅券番号にポイント値「１００」を加算することを決定するステップ２０４と、該ステップ２０４によって外国人データ項目の全てが一致したときに抽出した対象データを図７に示す候補者一覧を作成し全部一致候補者出力処理するステップ２０５と、前記ステップ２０３において外国人データ項目の一部が一致すると判定したとき、部分一致する候補者があるか否かを判定するステップ３０１と、該ステップ３０１において部分一致すると判定したときに図５に示したスコアリング条件に応じたポイント値のスコアリングを決定するステップ３０２と、該ステップ３０２に続き該部分一致した候補者のレコードを出力するステップ３０３と、前記ステップ３０１において外国人データ項目の全てが一致しない（部分一致もしない）と判定したとき、スコアリング（ポイント値）を「０」に決定するステップ３０４とを実行する。なお、前記ステップにより抽出した外国人データや決定したポイント値は図示しないコンピュータのワークメモリに個別レコードとして一時的に格納処理され、前記名寄せの対象データは、図７（ｂ）に示す如く、名寄せ基準テーブル１１４から抽出した名寄せ候補者のマスタ番号となるキー情報と、名寄せ基準テーブル１１４から抽出した名寄せ候補者の旅券番号・国籍・生年月日・性別・氏名とから成る身分事項と、名寄せ基準テーブル１１４から抽出した名寄せ候補者のポイント値の各項目情報とから成り、図７（ａ）に示す如く地方入国管理局・支局・出張所１２１に設置された審査コンピュータ１０２の表示部に表示される。
【００１７】
次に本外国人出入国情報管理システム１２２は、前記図２のステップ２０５又はステップ３０３又はステップ３０４に続いて、図３に示す如く、前記メモリに格納した個人別レコードのスコアリング結果（スコアリング値）が規定値（例えば、９０）以上か否かを判定するステップ４０１と、該ステップ４０１においてスコアリング結果（スコアリング値）が規定値以上と判定したとき、前記メモリに格納した個人別レコードを、自動補正の対象として外国人情報テーブル１１３及び外国人個人情報テーブル１１５に格納したデータの更新を行うステップ５０１と、前記該ステップ４０１においてスコアリング結果（スコアリング値）が規定値未満と判定したとき又は前記ステップ５０１に続き、前記メモリに格納した個人別レコードを、前記名寄せ基準テーブル１１４にスコアリング含めたレコードの追加・更新処理を行うステップ６０１とを実行することによって、入国管理データと出国管理データとの外国人データの項目の一致度によって容易に統合することができる。
【００１８】
なお、前記ステップ５０１における更新処理は、例えば、名寄せ前データレコード７０１が格納されている外国人情報テーブル１１３に対して名寄せ候補レコード８０１が格納されている名寄せ基準テーブル１１４の個人管理番号のレコードの更新を行って該更新後に名寄せ後データレコード７０２とし、名寄せ前候補レコード９０１が格納されている外国人個人情報テーブル１１５についてはマスタ番号を名寄せ後候補レコード９０２の構成に更新し、名寄せ前データレコード９０３を物理削除し、名寄せ後データレコード９０４とすることによって行われ、前記ステップ６０１による追加・更新処理は、名寄せ基準テーブル１１４が名寄せ前の状態であるとき、名寄せ候補レコード８０１を格納し、名寄せデータレコード８０２が名寄せ候補レコード８０１がスコアリング「１００」であるときポイント値に＋１００を設定した名寄せデータレコード８０２を追加することによって行われ、前記ステップ４０１によってポイント値が規定値未満の名寄せ対象者は審査官殿が出入国データ以外の手段（特別審理官の口頭審理、査証［ビザ］又は在留資格認定証明書の確認他）によって慎重かつ厳重な入国・在留審査を実施する。
【００１９】
以上述べた如く本実施形態による外国人出入国情報管理システム及び外国人出入国情報管理プログラムは、入国管理データ及び出国管理データに基づいた外国人データ項目の一致度に応じてポイント値を付与し、誤記が想定される不一致（姓名の順序を変更したときに氏名が一致したときや、旅券番号他の項目が一致し且つ姓のみが不一致）状態における旅券番号及び国籍の外国人を同一人物と特定することによって出入国した外国人データを個人単位で統合することができ、多様な外国人の入国審査を迅速に完了させ、またその外国人の名寄せを行うことにより、正規に上陸・各種申請を行う外国人に対してより迅速な入国・在留審査を行い、疑わしい外国人はより慎重かつ厳重な入国・在留審査を実施することができる。
【符号の説明】
【００２０】
１０２  審査コンピュータ、１０５  ネットワーク、
１０８  名寄せ全部一致条件比較部、１０９  名寄せ部分一致比較部、
１１０  スコアリング判定部、１１１  名寄せ自動更新部、
１１２  名寄せ基準テーブル反映部、１１３  外国人情報テーブル、
１１４  名寄せ基準テーブル、１１５  外国人個人情報テーブル、
１２０  申請人、１２１  地方入国管理局・支局・出張所、
１２２  外国人出入国情報管理システム、１２３  審査機能部、
１２４  名寄せ機能部、７０１  名寄せ前データレコード、
７０２  名寄せ後データレコード、８０１  名寄せ候補レコード、
８０２  名寄せデータレコード、９０１  名寄せ前候補レコード、
９０２  名寄せ後候補レコード、９０３  名寄せ前データレコード、
９０４  名寄せ後データレコード
【図１】
2013092965.tif 000003
【図２】
2013092965.tif 000004
【図３】
2013092965.tif 000005
【図４】
2013092965.tif 000006
【図５】
2013092965.tif 000007
【図６】
2013092965.tif 000008
【図７】
2013092965.tif 000009